(57)【要約】【課題】生産効率を向上すると共に、作業性が非常に良いジャスターボルト構造を提供する。【解決手段】ねじ部を有する軸部１と、該軸部１の下方に接続される上部カバー２と、上部カバー２と所定の範囲内で上下動自在に係止される下部プレート３と、該上部カバー２と該下部プレート３とで収容される弾性部４と、を備えるアジャスターボルト構造であって、前記上部カバー２の上面には前記軸部１に設置された勘合部１１が勘合される被勘合部２１を設けると共に、前記上部カバー２は該弾性部４の上面に載置され且つ下方に動き代を残した状態で係止した。【選択図】        図１
2009235744.tif 000002
【特許請求の範囲】
【請求項１】
ねじ部を有する軸部と、該軸部の下方に接続される上部カバーと、上部カバーと所定の範囲内で上下動自在に係止される下部プレートと、該上部カバーと該下部プレートとで収容される弾性部と、を備えるアジャスターボルト構造であって、前記上部カバーの上面には前記軸部に設置された勘合部が勘合される被勘合部を設けると共に、前記上部カバーは該弾性部の上面に載置され且つ下方に動き代を残した状態で係止して成ることを特徴とするアジャスターボルト構造。
【発明の詳細な説明】
【技術分野】
【０００１】
本発明は、浴室ユニットのアジャスターボルト構造に関するものである。
【背景技術】
【０００２】
従来、浴室ユニットを支える耐震部材として知られるアジャスターボルトの構造は、図４に示すように、ナットＮが上面中央に溶接固着された金属製の上部プレート２´と金属製の下部プレート３´とを備えているものであり、該上部プレート２´と該下部プレート３´との間に防振ゴム４１´を挟持することで脚部５を形成している。このようにして形成された脚部５に、軸部１としての専用のボルトＢ´を上部プレート２´に設置されたナットＮに螺合すると共に、該ナットＮと軸部１とを溶接し形成するアジャスターボルト構造が知られている。（例えば特許文献１参照）
【特許文献１】特開２００３−３５４６号公報
【発明の開示】
【発明が解決しようとする課題】
【０００３】
しかしながら、上記のようなアジャスターボルト構造において、脚部５の形成においては、下部プレート３´と防振ゴム４１´と、及び防振ゴム４１´と上部プレート２´とを固着する必要がある。また、上部プレート２´の上面中央には軸接続用のナットＮを溶接し固着する必要があった。さらに、上述したが、このような脚部５と軸部１とを螺合した後においても脚部５と軸部１とを溶接する必要があるものであった。このように、従来のアジャスターボルトを形成するにあたっては、何度も溶接・固着による成形を重ねる必要があるため生産効率が良くないという問題を有していた。
【０００４】
さらに、図５に示すような別の防振構造を備えるアジャスターボルトにおいては、防振ゴム４１´とアジャスターボルトとの一体化がなされていないものである。このものにあっては、防振ゴム４１´とアジャスターボルトの固着は必要がないものであるが、現地における施工の際にユニットバスの床パンを据え付ける前に、あらかじめアジャスターボルトの設置位置に合わせて防振ゴム４１´を配置しておく必要がある。従って、アジャスターボルトと防振ゴム４１´とを別々に成形すればよいため、部品の生産においては効率の低下はないものの、現地作業における作業性が悪いものであるため、多くの施工時間を要してしまうという問題があった。
【０００５】
本発明は上記事情に鑑みてなされたものであり、その目的とするところは、生産効率を向上すると共に、作業性が非常に良いジャスターボルト構造を提供することにある。
【課題を解決するための手段】
【０００６】
上記課題を解決するために請求項１に係る発明にあっては、ねじ部を有する軸部１と、該軸部１の下方に接続される上部カバー２と、上部カバー２と所定の範囲内で上下動自在に係止される下部プレート３と、該上部カバー２と該下部プレート３とで収容される弾性部４と、を備えるアジャスターボルト構造であって、前記上部カバー２の上面には前記軸部１に設置された勘合部１１が勘合される被勘合部２１を設けると共に、前記上部カバー２は該弾性部４の上面に載置され且つ下方に動き代を残した状態で係止して成ることを特徴とするものである。
【０００７】
このように、上部カバー２と下部プレート３との内部に防振ゴム４１を収容する構成を採用したので、従来のように防振ゴム４１と上部カバー２及び下部プレート３とを固着しなくても防振機能を発揮することが可能となり、アジャスターボルトの生産効率の向上を実現するものであると共に、現地作業においても簡単な作業でアジャスターボルトを取付けることができるため、作業時間の短縮の点においても実現可能となるものである。
【発明の効果】
【０００８】
本発明によれば、現地における作業効率を向上させると共に、アジャスターボルト自体の生産効率を向上させるものであるため、より一層の生産コストの削減及び低減を可能とするものである。
【発明を実施するための最良の形態】
【０００９】
以下、本発明について添付図面に基づいて説明する。なお、本発明のアジャスターボルト構造は、下記の実施形態にのみ限定されるものではなく、本発明の要旨を逸脱しない範囲内において種々変更を加え得ることは勿論である。
【００１０】
本実施形態の浴室ユニットのアジャスターボルト構造は図１に示すように、上部カバー２と弾性部４としての防振ゴム４１と下部プレート３とで脚部５を構成している。該防振ゴム４１は上部カバー２と下部プレート３に収容されるように内部に配置されている。このような脚部５の上面には軸部１の下端が接続されており、このようにしてアジャスターボルト全体が構成されている。
【００１１】
該軸部１は六角ボルトＢを主体として形成しており、おねじが螺刻された胴部１２と、六角ボルトＢの頭部１３によって形成された勘合部１１とを備えるものである。このような軸部１は本実施形態に特に限定されるものではなく、例えば、該軸部１は寸切ボルトの先端に六角ナットを螺着して勘合部１１及び胴部１２を形成したものであっても良い。
【００１２】
前記上部カバー２は有底円筒状に形成されると共に、開口部を下方に臨むように配置している。該上部カバー２は上面部の略中央に被勘合部２１が形成されており、該被勘合部２１には軸部１に形成された勘合部１１が横方向にスライド自在に勘合される（図３（ａ）及び（ｂ）参照）。該被勘合部２１は、勘合部１１である六角ボルトＢの頭部１３を囲むように平面視略Ｕ字状に上方に向けて突設する縦片２１１と、胴部１２が挿通するための平面視Ｕ字状の切欠部を備え且つ勘合部１１を上方に係止する横片２１２とで形成されている。このように構成することで、側方から軸部１に形成された勘合部１１をスライドするだけで、上部カバー２と軸部１を接続することが可能となる。さらに、縦片２１１が六角ボルトＢの頭部１３を囲むように形成されているので、軸部１にナットを螺合して締結する場合に、軸部１が共回りしようとしても勘合部１１としての六角ボルトＢの頭部１３が縦片２１１内壁に当接することで、軸部１本体が回転するのを防止できる。
【００１３】
該上部カバー２の開口部縁辺からは、係止片２２を下方に向けて突設している。係止片２２の先端には係止爪２３が断面略Ｌ字形状にて形成されており、下部プレート３に穿設された孔部３１に係止片２２を嵌入させると共に、係止爪２３によって一定範囲内で上下動自在に係止するようになっている。係止片２２の下方向の突出長さＬ１は、下部プレート３と上部カバー２の内部に防振ゴム４１を収容し且つ該下部プレート３と該上部カバー２が係合した状態で、少なくとも下方に動き代を残した長さにて形成される。要するに、上部カバー２の内部に防振ゴム４１を収容した状態、すなわち防振ゴム４１の上面に上部カバー２を載置された状態で、下部プレート３上面と上部カバー２の開口部下端面との間に隙間Ｓが形成されることとなり、上部カバー２が防振ゴム４１を押しながら下方に移動できるので該防振ゴム４１が振動を吸収することが可能となる。
【００１４】
なお、本実施形態においては係止片２２が４箇所突設されており、その数は特に限定されるものではないが、軸部１における回転力を付与した場合に上部カバー２の回転を防止することができる効果を考慮すれば、複数個所に係止片２２を形成することが好ましい。
【００１５】
下部プレート３は、係止片２２が嵌入する孔部３１が穿設される底面３２と、その底面３２縁辺から下方に向けて環状に立設して成る側面３３とで構成されるものである。下部プレート３は、上部カバー２の開口部を閉塞するようにして設置される。上記の通り、下部プレート３は上部カバー２に突設された係止片２２によって係合されるものであるが、上部カバー２が最も下部プレート３に近づいたとき（即ち上部カバー２の開口部縁辺が下部プレート３の上面に環状に当接したとき）に係止片２２が床面に干渉しない長さにて側面３３の上下長さＬ２が形成される必要がある。
【００１６】
このような構成によれば、防振ゴム４１と上部カバー２及び下部プレート３とを固着する必要がないため、従来品と比べても飛躍的に生産効率が向上するものである。さらに、アジャスターボルトに予期しない荷重が負荷された場合であっても、上部カバー２の開口部縁辺が下部プレート３の上面に当接するため、すなわち一定以上は下方に移動しないように構成されているため、内部の防振ゴム４１のヘタリの発生を防止することが可能となる。また、防振ゴム４１を内部に収容し外部に晒さない構造を採用しているため、腐食や劣化を防止することにも資するものである。
【００１７】
さらに、軸部１と脚部５とを容易に接続できる構造を採用したので、アジャスターボルトの組み立て自体を容易に行うことが可能となり、作業性の向上が一層図れるものである。
【００１８】
なお、本実施形態においては、上部カバー２及び下部プレート３は金属によって形成され、弾性部は防振ゴム４１にて形成されるが、その材質は本実施形態に限定されるものではない。また、勘合部１１及び、被勘合部２１の形状は本実施形態に限定されるものではない。さらに、本発明は特に浴室ユニットの使用にのみに限定されるものではないものである。
【図面の簡単な説明】
【００１９】
【図１】本実施形態の断面図である。
【図２】同上の分解斜視図である。
【図３】同上の要部の組立要領を示す図であり、（ａ）は軸部の取付け直前を示し、（ｂ）は取付け後の状態を示している。
【図４】従来のアジャスターボルト構造の側面図を示している。
【図５】別の従来のアジャスターボルト構造の側面図を示している。
【符号の説明】
【００２０】
１      軸部
１１    勘合部
１２    胴部
１３    頭部
２      上部カバー
２１    被勘合部
２１１  縦片
２１２  横片
２２    係止片
２３    係止爪
３      下部プレート
３１    孔部
３２    底面
３３    側面
４      弾性部
４１    防振ゴム
５      脚部
Ｂ      ボルト
Ｌ１    係止片の突出長さ
Ｌ２    側部の上下長さ
Ｓ      下部プレート上面と上部カバー下端面の隙間
【図１】
2009235744.tif 000003
【図２】
2009235744.tif 000004
【図３】
2009235744.tif 000005
【図４】
2009235744.tif 000006
【図５】
2009235744.tif 000007